(57)【要約】【課題】原水加温に関するエネルギー効率が改善された水処理装置を提供すること。【解決手段】本発明は、原水が貯留されると共に、当該原水を加温する加温ヒータが設けられた原水タンクと、前記原水タンクにおいて加温された原水を前処理する前処理ユニットと、前記前処理ユニットによって前処理された原水に対して逆浸透膜を用いて当該原水をＲＯ水とＲＯ排水とに分離するＲＯモジュールと、前記ＲＯ排水の熱を用いて前記原水タンクに供給される前の原水を一次加温できるように構成された熱交換装置と、を備えたことを特徴とする水処理装置である。【選択図】図１
2017164320.tif 000002
【特許請求の範囲】
【請求項１】
原水が貯留されると共に、当該原水を加温する加温ヒータが設けられた原水タンクと、
前記原水タンクにおいて加温された原水を前処理する前処理ユニットと、
前記前処理ユニットによって前処理された原水に対して逆浸透膜を用いて当該原水をＲＯ水とＲＯ排水とに分離するＲＯモジュールと、
前記ＲＯ排水の熱を用いて前記原水タンクに供給される前の原水を一次加温できるように構成された熱交換装置と、
を備えたことを特徴とする水処理装置。
【請求項２】
前記加温ヒータは、原水を２０℃以上に加温するようになっている
ことを特徴とする請求項１に記載の水処理装置。
【請求項３】
前記熱交換装置は、前記原水タンクに供給される前の原水を、１０℃以上に一次加温するようになっている
ことを特徴とする請求項１または２に記載の水処理装置。
【請求項４】
前記熱交換装置に供給される原水の温度を測定する温度センサ
を更に備え、
前記温度センサによって測定される原水の温度が所定しきい値以上である時には、前記熱交換装置は作動しないようになっている
ことを特徴とする請求項１乃至３のいずれかに記載の水処理装置。
【請求項５】
前記熱交換装置への前記ＲＯ排水の供給を制御するＲＯ排水開閉弁と、
前記熱交換装置を迂回して前記ＲＯ排水を排水するバイパス経路と、
前記バイパス経路への前記ＲＯ排水の供給を制御するバイパス開閉弁と、
を更に備え、
前記温度センサによって測定される原水の温度が前記所定しきい値未満である時には、前記ＲＯ排水開閉弁が開放されて、前記パイパス開閉弁が遮断されるようになっており、
前記温度センサによって測定される原水の温度が前記所定しきい値以上である時には、前記ＲＯ排水開閉弁が遮断されて、前記パイパス開閉弁が開放されるようになっている
ことを特徴とする請求項４に記載の水処理装置。
【発明の詳細な説明】
【技術分野】
【０００１】
本発明は、透析治療に用いられる人工透析用水等を製造するための水処理装置に関する。
【背景技術】
【０００２】
従来の人工透析用水製造装置について、図８を用いて説明する。図８に示すように、人工透析用水は、典型的には水道水や井戸水である原水から製造される。
【０００３】
原水は、まず、原水タンク５１に貯留される。原水タンク５１の内部には、加温用ヒータ５１ｈが設けられていて、原水の温度を２５℃にまで加温する。原水の温度が２５℃よりも低いままでは、後続の装置内において、原水中のシリカ成分等が析出して不具合を発生させるおそれがあるからである。
【０００４】
２５℃に加温された原水は、次に、原水ポンプ５２によって前処理ユニット５３に送られる。前処理ユニット５３は、プレフィルタ５３ａと、軟水装置５３ｂと、カーボンフィルタ５３ｃと、を当該順序で有している。プレフィルタ５３ａは、主として原水中の不純物（ゴミ）を濾過し、軟水装置５３ｂは、主として原水中のカルシウムイオン（Ｃａ2+ ）及びマグネシウムイオン（Ｍｇ2+ ）を除去し、カーボンフィルタ５３ｃは、主として原水中の塩素イオン（Ｃｌ- ）を除去する。
【０００５】
前処理ユニット５３での前処理が終わった原水は、ＲＯユニット５４（逆浸透膜処理装置）に送られる。ＲＯユニット５４は、ＲＯポンプ５４ｐを用いて、前処理が終わった原水をＲＯモジュール５４ｍ内に供給する。ＲＯモジュール５４ｍは、原水内に含まれる無機イオン全般を除去する。ＲＯモジュール５４ｍでの処理を終えたＲＯ水（原水の１５〜４８％程度）は、ＲＯ水供給ユニット５５に送られ、ＲＯモジュール５４ｍでの処理によって生成されたＲＯ排水は、一部（原水の５〜８０％程度、「循環水」とも呼ばれる）がＲＯポンプ５４ｐを介してＲＯモジュール５４ｍ内に再投入され、他の一部（原水の５〜４８％程度、「濃縮水」とも呼ばれる）が排水処理される。
【０００６】
ＲＯ水供給ユニット５５は、ＲＯ水が貯留されるＲＯ水タンク５５ｔを有している。ＲＯ水タンク５５ｔ内には、ＵＶ照射装置５５ｕが設けられていて、ＲＯ水にＵＶ照射処理を行なえるようになっている。また、ＲＯ水タンク５５ｔには、当該ＲＯ水タンク５５ｔ内のＲＯ水の水位変化に依存して流入する外部空気中の浮遊菌やゴミを除去するために、エアーフィルタ５５ｆが設けられている。
【０００７】
ＲＯ水タンク５５ｔに貯留されたＲＯ水は、送水ポンプ５６を介して、ＵＦ５７（ウルトラフィルタ、「限界濾過膜」とも呼ばれる）に送られる。ＵＦ５７は、ＲＯ水から生物学的不純物を除去する。ＵＦ５７によって生物学的不純物を除去されたＲＯ水は、透析用水として、透析治療用の各種の医療機器に送られる。通常、それらの医療機器において、透析用水は３６℃前後にまで加温されて、各種の透析治療に利用される。そして、透析用水は、医療機器循環後、ＵＦ５８（ウルトラフィルタ、「限界濾過膜」とも呼ばれる）に戻ってきて、更にＲＯ水タンク５５ｔに戻される。
【０００８】
図８に示す以上のような人工透析用水製造装置は、すでに実用化されていて、透析治療のための人工透析用水を安定的に製造している。
【０００９】
その他、特許文献１は、人工透析用水中の細菌由来のＤＮＡ断片を簡単な設備、操作で効率よく除去できる方法及び浄化装置を提案している。
【先行技術文献】
【特許文献】
【００１０】
【特許文献１】特開２０１０−２７９４６１
【発明の概要】
【発明が解決しようとする課題】
【００１１】
本件出願人は、図８に示す人工透析用水製造装置を製造する製造メーカーである。そして、本件発明者は、図８の人工透析用水製造装置を更に改良することについて、鋭意検討を重ねてきた。そして、特に寒冷地において、原水加温に関するエネルギー効率を改善する余地があることを見出した。
【００１２】
本発明は、以上の知見に基づいて創案されたものである。本発明の目的は、原水加温に関するエネルギー効率が改善された人工透析用水製造装置を提供することである。また、本発明によって製造されるＲＯ水は、人工透析用水に限定されず、器具洗浄用水、検査用水、手荒い用水、調剤用水、等としても利用できる。すなわち、本発明は、広くは、原水加温に関するエネルギー効率が改善された水処理装置を提供することである。
【課題を解決するための手段】
【００１３】
本発明は、原水が貯留されると共に、当該原水を加温する加温ヒータが設けられた原水タンクと、前記原水タンクにおいて加温された原水を前処理する前処理ユニットと、前記前処理ユニットによって前処理された原水に対して逆浸透膜を用いて当該原水をＲＯ水とＲＯ排水とに分離するＲＯモジュールと、前記ＲＯ排水の熱を用いて前記原水タンクに供給される前の原水を一次加温できるように構成された熱交換装置と、を備えたことを特徴とする水処理装置である。
【００１４】
本発明によれば、従来は単純に排水処理されていたＲＯ排水の熱を、原水の一次加温のために活用することができるため、原水加温に関するエネルギー効率を改善することができる。後述するように、当該エネルギー効率改善の程度は、寒冷地の冬においては有意な程度であることが確認された。
【００１５】
原水タンクの加温ヒータは、後続の処理過程で原水中のシリカ成分等が析出することがないよう、原水を２０℃以上、好ましは２５℃以上、に加温することが一般的である。この場合、ＲＯ排水の温度も２０℃以上、好ましは２５℃以上である。そこで、本発明による熱交換装置は、原水タンクに供給される前の原水を、例えば１０℃以上、好ましは１４℃以上、にまで一次加温するようになっていることが好ましい。この程度の加温であれば、熱交換後のＲＯ排水の温度も１２℃程度に留まるため、その後の排水経路において不所望の析出等が生じるおそれがない。
【００１６】
もっとも、水道水が原水として利用される場合、夏場においては、原水の温度が最初から高温で、加温ヒータによる加温を必要としない場合がある。このような場合には、本発明の熱交換装置は、作動の必要性がない。従って、例えば、前記熱交換装置に供給される原水の温度を測定する温度センサが更に設けられ、当該温度センサによって測定される原水の温度が所定しきい値以上、例えば２６．５℃以上、である時には、前記熱交換装置は作動しないようになっていることが好ましい。
【００１７】
より具体的には、例えば、前記熱交換装置への前記ＲＯ排水の供給を制御するＲＯ排水開閉弁と、前記熱交換装置を迂回して前記ＲＯ排水を排水するバイパス経路と、前記バイパス経路への前記ＲＯ排水の供給を制御するバイパス開閉弁と、が更に設けられて、前記温度センサによって測定される原水の温度が前記所定しきい値未満である時には、前記ＲＯ排水開閉弁が開放されて前記パイパス開閉弁が遮断されるようになっており、前記温度センサによって測定される原水の温度が前記所定しきい値以上である時には、前記ＲＯ排水開閉弁が遮断されて前記パイパス開閉弁が開放されるようになっていることが好ましい。
【発明の効果】
【００１８】
本発明によれば、従来は単純に排水処理されていたＲＯ排水の熱を、原水の一次加温のために活用することができるため、原水加温に関するエネルギー効率を改善することができる。
【図面の簡単な説明】
【００１９】
【図１】本発明の一実施形態に係るＦの概略説明図である。
【図２】図１の水処理装置の熱交換装置周辺の構成を示す概略図である。
【図３】熱交換装置作動時の各弁の開閉状態を示す概略図である。
【図４】原水の温度が高温である時の各弁の開閉状態を示す概略図である。
【図５】各弁の動作状態について纏めた図表である。
【図６】原水１ｔ当たり加温ヒータが必要とした電力について原水温度毎に比較したグラフである。
【図７】原水１ｔ当たり加温ヒータが必要とした電力と平均の原水温度について季節毎に比較したグラフである。
【図８】従来の人工透析用水製造装置の概略説明図である。
【発明を実施するための形態】
【００２０】
以下、図面を参照して本発明の実施の形態について説明する。  
【００２１】
図１は、本発明の一実施形態に係る水処理装置の概略説明図である。図１に示すように、本実施形態の水処理装置１０は、原水が貯留されると共に、当該原水を加温する加温ヒータ１１ｈが設けられた原水タンク１１と、原水タンク１１において加温された原水を前処理する前処理ユニット１３と、前処理ユニット１３によって前処理された原水に対して逆浸透膜（ＲＯＭ）を用いて当該原水をＲＯ水とＲＯ排水とに分離するＲＯモジュール１５ｍと、を備えている。
【００２２】
そして、本実施形態の水処理装置１０は、ＲＯ排水の熱を用いて原水タンク１１に供給される前の原水を一次加温できるように構成された熱交換装置２０を備えている。
【００２３】
本実施形態では、原水として水道水が用いられるようになっている。水道水である原水は、原水タンク１１において貯留されるようになっている。加温ヒータ１１ｈは、原水タンク１１の内部に設けられていて、本実施形態では原水の温度を２５℃にまで加温するようになっている。原水の温度が２５℃よりも低いままでは、後続の装置内において、原水中のシリカ成分等が析出して不具合を発生させるおそれがあるからである。
【００２４】
図１に示すように、２５℃に加温された原水は、原水ポンプ１２によって前処理ユニット１３に送られるようになっている。前処理ユニット１３は、プレフィルタ１３ａと、軟水装置１３ｂと、カーボンフィルタ１３ｃと、を当該順序で有している。プレフィルタ１３ａは、主として原水中の不純物（ゴミ）を濾過するようになっており、軟水装置１３ｂは、主として原水中のカルシウムイオン（Ｃａ2+ ）及びマグネシウムイオン（Ｍｇ2+ ）を除去するようになっており、カーボンフィルタ１３ｃは、主として原水中の塩素イオン（Ｃｌ- ）を除去するようになっている。
【００２５】
前処理ユニット１３での前処理が終わった原水は、ＲＯユニット１４（逆浸透膜処理装置）に送られるようになっている。ＲＯユニット１４は、ＲＯポンプ１４ｐを用いて、前処理が終わった原水をＲＯモジュール１４ｍ内に供給するようになっている。ＲＯモジュール１４ｍは、原水内に含まれる無機イオン全般を除去するようになっている。ＲＯモジュール１４ｍでの処理を終えたＲＯ水（原水の１５〜４８％程度）は、ＲＯ水供給ユニット１５に送られるようになっており、ＲＯモジュール１４ｍでの処理によって生成されたＲＯ排水は、一部（原水の５〜８０％程度、「循環水」とも呼ばれる）がＲＯポンプ１４ｐを介してＲＯモジュール１４ｍ内に再投入されるようになっており、他の一部（原水の５〜４８％程度、「濃縮水」とも呼ばれる）が排水処理されるようになっている。
【００２６】
ＲＯ水供給ユニット１５は、ＲＯ水が貯留されるＲＯ水タンク１５ｔを有している。ＲＯ水タンク１５ｔ内には、ＵＶ照射装置１５ｕが設けられていて、ＲＯ水にＵＶ照射処理を行なえるようになっている。また、ＲＯ水タンク１５ｔには、当該ＲＯ水タンク１５ｔ内のＲＯ水の水位変化に依存して流入する外部空気中の浮遊菌やゴミを除去するために、エアーフィルタ１５ｆが設けられている。
【００２７】
ＲＯ水タンク１５ｔに貯留されたＲＯ水は、送水ポンプ１６を介して、ＵＦ１７（ウルトラフィルタ、「限界濾過膜」とも呼ばれる）に送られるようになっている。ＵＦ１７は、ＲＯ水から生物学的不純物を除去するようになっている。ＵＦ１７によって生物学的不純物を除去されたＲＯ水は、透析用水として、透析治療用の各種の医療機器（不図示）に送られるようになっている。通常、それらの医療機器において、透析用水は３６℃にまで加温されて、各種の透析治療に利用される。そして、透析用水は、医療機器循環後、ＵＦ１８（ウルトラフィルタ、「限界濾過膜」とも呼ばれる）に戻ってきて、更にＲＯ水タンク１５ｔに戻されるようになっている。
【００２８】
本実施形態では、加温ヒータ１１ｈによって原水が２５℃に加温されるため、ＲＯ排水の温度も２５℃程度である。そこで、当該ＲＯ排水の熱を利用して、本実施形態による熱交換装置２０は、原水タンク１１に供給される前の原水を、１４℃にまで一次加温するようになっている。
【００２９】
図２は、図１の人工透析用水製造装置１０の熱交換装置２０周辺の構成を示す概略図である。図２に示すように、熱交換装置２０に原水を供給するための供給経路上に、当該原水の温度を測定する原水入口温度センサ２１が設けられている。
【００３０】
また、熱交換装置２０にＲＯ排水を供給するための供給経路上に、当該ＲＯ排水の供給を制御するＲＯ排水入口開閉弁２２が設けられている。そして、熱交換装置２０を迂回してＲＯ排水を排水するバイパス経路２３と、バイパス経路２３へのＲＯ排水の供給を制御するバイパス開閉弁２４と、が設けられている。また、本実施形態では、熱交換装置２０を出たＲＯ排水を排水処理装置（不図示）へと供給するための供給経路上に、ＲＯ排水出口開閉弁２６が設けられている。
【００３１】
そして、本実施形態では、原水入口温度センサ２１によって測定される原水の温度が所定しきい値未満、例えば２６．５℃未満、である時には、制御部２７の制御により、ＲＯ排水入口開閉弁２２及びＲＯ排水出口開閉弁２６が開放されて、パイパス開閉弁２４が遮断されるようになっており、原水入口温度センサ２１によって測定される原水の温度が所定しきい値以上、例えば２６．５℃以上、である時には、ＲＯ排水入口開閉弁２２及びＲＯ排水出口開閉弁２６が遮断されて、パイパス開閉弁２４が開放されるようになっている。
【００３２】
その他、本実施形態では、熱交換装置２０に原水を供給するための供給経路上に、当該原水の圧力を測定する原水入口圧力センサ３２と、当該原水の流量を測定する原水流量センサ３３と、が設けられている。また、熱交換装置２０を出た原水を原水タンク１１へと供給するための供給経路上に、当該原水の温度を測定する原水出口温度センサ３４と、当該原水の圧力を測定する原水出口圧力センサ３５と、が設けられている。
【００３３】
一方、熱交換装置２０にＲＯ排水を供給するための供給経路上に、当該ＲＯ排水の温度を測定するＲＯ排水入口温度センサ４１と、当該ＲＯ排水の圧力を測定するＲＯ排水入口圧力センサ４２と、当該ＲＯ排水の流量を測定するＲＯ排水流量センサ４３と、が設けられている。また、熱交換装置２０を出たＲＯ排水を排水処理装置（不図示）へと供給するための供給経路上に、当該ＲＯ排水の温度を測定するＲＯ排水出口温度センサ４４と、当該ＲＯ排水の圧力を測定するＲＯ排水出口圧力センサ４５と、が設けられている。
【００３４】
次に、本実施の形態の作用について説明する。
【００３５】
図１に示すように、例えば９℃の水道水である原水が、ＲＯ排水の熱によって熱交換装置２０によって１４℃にまで加温された後、原水タンク１１において貯留される。そして、原水タンク１１の加温ヒータ１１ｈが、原水の温度を更に２５℃にまで加温する。
【００３６】
２５℃に加温された原水は、原水ポンプ１２によって前処理ユニット１３に送られる。前処理ユニット１３において、プレフィルタ１３ａが、主として原水中の不純物（ゴミ）を濾過して除去し、軟水装置１３ｂが、主として原水中のカルシウムイオン（Ｃａ2+ ）及びマグネシウムイオン（Ｍｇ2+ ）を除去し、カーボンフィルタ１３ｃが、主として原水中の塩素イオン（Ｃｌ- ）を除去する。
【００３７】
前処理ユニット１３での前処理が終わった原水は、ＲＯユニット１４（逆浸透膜処理装置）に送られる。ＲＯユニット１４は、ＲＯポンプ１４ｐを用いて、前処理が終わった原水をＲＯモジュール１４ｍ内に供給する。ＲＯモジュール１４ｍは、原水内に含まれる無機イオン全般を除去する処理を実施し、ＲＯモジュール１４ｍでの処理を終えたＲＯ水（原水の１５〜４８％程度）は、ＲＯ水供給ユニット１５に送られる。
【００３８】
一方、ＲＯモジュール１４ｍでの処理によって生成されたＲＯ排水は、一部（原水の５〜８０％程度、「循環水」とも呼ばれる）がＲＯポンプ１４ｐを介してＲＯモジュール１４ｍ内に再投入され、他の一部（原水の５〜４８％程度、「濃縮水」とも呼ばれる）が熱交換装置２０に送られる。
【００３９】
より詳細には、図３に示すように、原水入口温度センサ２１によって測定される原水の温度が所定しきい値未満、例えば２６．５℃未満、である時には、ＲＯ排水入口開閉弁２２及びＲＯ排水出口開閉弁２６が開放されて、且つ、パイパス開閉弁２４が遮断されて、ＲＯ排水が熱交換装置２０に送られる。本実施形態では、２５℃程度のＲＯ排水の熱によって、９℃の水道水が１４℃に一次加温される。この時、熱交換後のＲＯ排水の温度は１２℃程度に留まる。従って、その後の排水経路において不所望の析出等が生じるおそれはない。
【００４０】
これに対して、原水入口温度センサ２１によって測定される原水の温度が所定しきい値以上、例えば２６．５℃以上、である時には、原水の加温の必要性がないため、本実施形態では、図４に示すように、ＲＯ排水入口開閉弁２２及びＲＯ排水出口開閉弁２６が遮断されて、且つ、パイパス開閉弁２４が開放されて、ＲＯ排水がパイパス経路２３を介して排水処理される。
【００４１】
さて、ＲＯ水供給ユニット１５では、ＲＯ水タンク１５ｔにＲＯ水が貯留される。必要に応じて、ＵＶ照射装置１５ｕによってＵＶ照射処理が行なわれる。
【００４２】
その後、ＲＯ水タンク１５ｔに貯留されたＲＯ水は、送水ポンプ１６を介して、ＵＦ１７（ウルトラフィルタ）に送られる。ＵＦ１７は、ＲＯ水から生物学的不純物を除去する。ＵＦ１７によって生物学的不純物を除去されたＲＯ水は、例えば透析用水として、透析治療用の各種の医療機器（不図示）に送られる。当該透析用水は、医療機器循環後、ＵＦ１８（ウルトラフィルタ）に戻ってきて、更にＲＯ水タンク１５ｔに戻される。
【００４３】
以上の通り、本実施形態によれば、熱交換装置２０によって、従来は単純に排水処理されていたＲＯ排水の熱を原水の一次加温のために活用することができる。このため、原水加温に関するエネルギー効率を改善することができる。
【００４４】
なお、本実施形態の水処理装置１０は、消毒運転を実施することも可能である。消毒運転は、熱水や薬液を用いて行なわれ得る。消毒運転実施中は、熱交換装置２０を作動させる必要がないため、ＲＯ排水はバイパス経路２３を介して排水処理される。
【００４５】
以上に説明した各運転状態におけるＲＯ排水入口開閉弁２２、ＲＯ排水出口開閉弁２６及びパイパス開閉弁２４の動作状態を、図５に纏めて示す。
【００４６】
次に、本実施形態によるエネルギー効率改善の程度について、図６及び図７を示す。図６は、原水１ｔ当たり加温ヒータが必要とした電力について平均原水温度毎に比較したグラフであり、図７は、原水１ｔ当たり加温ヒータが必要とした電力と平均原水温度について季節毎に比較したグラフである。
【００４７】
図６から分かる通り、平均原水温度が低ければ低い程、加温ヒータ１１ｈが必要とする電力の低減効果が大きい。また、図７から分かる通り、夏場においては本実施形態の効果は認め難いが、冬場においては有意な効果が認められる。
【００４８】
その他、本実施形態が採用するその他のセンサ類は、各種の異常状態の検知に利用される。
【００４９】
例えば、原水入口圧力センサ３２が０．０５ＭＰａ以下の値を出力し、原水出口圧力センサ３５が０．０５ＭＰａ以下の値を出力し、原水流量センサ３３が５Ｌ／ｍｉｎ以下の値を９０ｓｅｃ以上出力したら、原水圧力異常と判断できる。
【００５０】
例えば、ＲＯ排水入口圧力センサ４２が０．１ＭＰａ以上の値を出力し、ＲＯ排水出口圧力センサ４５が０．０５ＭＰａ以下の値を出力し、ＲＯ排水流量センサ３３が１Ｌ／ｍｉｎ以下の値を９０ｓｅｃ以上出力したら、ＲＯ排水圧力異常と判断できる。
【００５１】
例えば、原水入口圧力センサ３２が０．０５ＭＰａ以上の値を出力し、原水出口圧力センサ３５が０．０５ＭＰａ以上の値を出力し、ＲＯ排水流量センサ４３が１Ｌ／ｍｉｎ以上の値を出力し、原水流量センサ３３が０Ｌ／ｍｉｎの値を９０ｓｅｃ以上出力したら、原水流量センサ異常と判断できる。
【００５２】
例えば、ＲＯ排水入口圧力センサ４２が０．１ＭＰａ以下の値を出力し、ＲＯ排水出口圧力センサ４５が０．１ＭＰａ以下の値を出力し、ＲＯ排水入口開閉弁２２及びＲＯ排水出口開閉弁２６が開放されていて、原水流量センサ３３が１Ｌ／ｍｉｎ以上の値を出力し、ＲＯ排水流量センサ４３が０Ｌ／ｍｉｎの値を１２０ｓｅｃ以上出力したら、ＲＯ排水流量センサ異常と判断できる。
【符号の説明】
【００５３】
１０  水処理装置
１１  原水タンク
１１ｈ  加温ヒータ
１２  原水ポンプ
１３  前処理ユニット
１３ａ  プレフィルタ
１３ｂ  軟水装置
１３ｃ  カーボンフィルタ
１４  ＲＯユニット
１４ｐ  ＲＯポンプ
１４ｍ  ＲＯモジュール
１５  ＲＯ水供給ユニット
１５ｔ  ＲＯ水タンク
１５ｕ  ＵＶ照射装置
１５ｆ  エアーフィルタ
１６  送水ポンプ
１７  ＵＦ（ウルトラフィルタ）
１８  ＵＦ（ウルトラフィルタ）
２０  熱交換装置
２１  原水入口温度センサ
２２  ＲＯ排水入口開閉弁
２３  バイパス経路
２４  バイパス開閉弁
２６  ＲＯ排水出口開閉弁
２７  制御部
３２  原水入口圧力センサ
３３  原水流量センサ
３４  原水出口温度センサ
３５  原水出口圧力センサ
４１  ＲＯ排水入口温度センサ
４２  ＲＯ排水入口圧力センサ
４３  ＲＯ排水流量センサ
４４  ＲＯ排水出口温度センサ
４５  ＲＯ排水出口圧力センサ 
５１  原水タンク
５１ｈ  加温ヒータ
５２  原水ポンプ
５３  前処理ユニット
５３ａ  プレフィルタ
５３ｂ  軟水装置
５３ｃ  カーボンフィルタ
５４  ＲＯユニット
５４ｐ  ＲＯポンプ
５４ｍ  ＲＯモジュール
５５  ＲＯ水供給ユニット
５５ｔ  ＲＯ水タンク
５５ｕ  ＵＶ照射装置
５５ｆ  エアーフィルタ
５６  送水ポンプ
５７  ＵＦ（ウルトラフィルタ）
５８  ＵＦ（ウルトラフィルタ）
【図１】
2017164320.tif 000003
【図２】
2017164320.tif 000004
【図３】
2017164320.tif 000005
【図４】
2017164320.tif 000006
【図５】
2017164320.tif 000007
【図６】
2017164320.tif 000008
【図７】
2017164320.tif 000009
【図８】
2017164320.tif 000010